【手続補正書】
【提出日】令和3年10月28日(2021.10.28)
【手続補正１】
【補正対象書類名】明細書
【補正対象項目名】００２５
【補正方法】変更
【補正の内容】
【００２５】
キャリアプレート１２０は、前面１２２と背面１２４とを有する。キャリアプレート１２０は、可撓性を有するが第１材料よりも可撓性の小さい第２材料により形成される。言い換えると、第２材料は、第１材料よりも硬い。図２の両矢印に示すように、それぞれの細長い部分１の背面１１４は、少なくとも１つの点４でキャリアプレート１２０の前面１２２に取り付けられる。それにより、少なくとも１つの細長い部分１を含む加圧されるよう適合された１つまたは複数の部分の加圧負荷／少なくとも部分的に膨張した状態において、キャリアプレート１２０は、図４に示すように、少なくとも部分的に凹状に湾曲した前面１２２を形成するよう適合される。図では、サポート構造１０１の曲率が対称であるように示されている。しかし、本明細書で説明されるように、少なくとも１つの細長い部分１を含む加圧されるよう適合されたすべての部分は、個別に加圧されるよう構成される。それにより、すべての細長い部分１はキャリアプレート１２０の前面側に配置されるため、キャリアプレート１２０が少なくとも部分的に凹状に湾曲した前面１２２を形成するよう適合されるという唯一の条件で、サポート構造１０１の曲率は非対称であってもよい。図４では、これは、距離Ｄ１およびＤ２でさらに図示される。Ｄ１は、本体１１０の背面１１４から見たときに、第１の細長い部分１の横方向中心（latitudinal center）から隣接する細長い部分１の横方向中心までの距離を示す。Ｄ２は、本体１１０の前面１１２から見たときに、第１の細長い部分１の横方向中心からその隣接する細長い部分１の横方向中心までの距離を示す。加圧するよう構成された部分（細長い部分１、細長い部分１のグループ、および／または傾斜セル６Ａ、６Ｂ、１４）のいずれもが加圧されない場合、Ｄ１およびＤ２は等しい、または限りなく等しくなる。しかし、少なくとも１つの細長い部分１を含む、加圧されるよう適合された１つまたは複数の部分が加圧負荷／少なくとも部分的に膨張した状態にあるとき、距離Ｄ２が小さくなり、従って、ペアの細長い部分１の少なくとも１つが加圧負荷／少なくとも部分的に膨張した状態にある、隣接する細長い部分１のすべてのペアに対して、距離Ｄ１は距離Ｄ２よりも大きくなる。言い換えると、キャリアプレート１２０は、少なくとも部分的に凹状に湾曲した前面１２２を得る。
【手続補正２】
【補正対象書類名】明細書
【補正対象項目名】００３１
【補正方法】変更
【補正の内容】
【００３１】
非限定的な使用例において、サポート構造１０１の１つまたは複数の部分により到達されるそれぞれの所与の傾斜値は、システム１００に設定されていてもよい。この例では、サポート構造１０１は、その元の位置から所与の傾斜値（複数でもよい）までの中間にあってもよく、データプロセッサ１５０は、データプロセッサ１５０により１つまたは複数のセンサ１４０との間で連続的にまたは離散的に送受信されるセンサデータからこれを認識している。受信したセンサデータから、データプロセッサは、例えば、定義された開始値と比較して、特定の加速度計または傾斜角度を測定するよう適合された他のセンサに関連付けられたサポート構造１０１の部分の傾斜角度を決定するよう構成されてもよい。また、サポート構造１０１の１つまたは複数の部分に関連付けられた１つまたは複数の圧力センサを介して内圧を測定することにより、データプロセッサ１５０は、例えば、２つの測定結果の間のサポート構造１０１の１つまたは複数の部分における圧力の変化、所与の開始値と比較した変化、または経時的な連続変化、を分析することにより、人が動いているかどうかを判定することができる。例えば、分析により、サポート構造の片側にある部分の圧力が増加している一方、サポート構造の反対側の側面の部分の圧力が減少していることが示されることがあり、データプロセッサは、これをサポート構造１０１上で人が移動している、すなわち、人の重心がサポート構造１０１の一方側から他方側へ移動していると解釈してもよい。この情報に基づいて、データプロセッサ１５０は、加圧されるよう適合されたサポート構造１０１の部分のそれぞれに対する個別の加圧目標を示す制御信号１３５を生成するよう構成されてもよい。非限定的な実施の形態において、これは、コントローラ１３０により使用するために、データプロセッサ１５０が、細長い部分１のそれぞれに対する個別の加圧目標を示す制御信号１３５を生成することを意味し得る。別の非限定的な実施の形態において、これは、コントローラ１３０により使用するために、データプロセッサ１５０が、細長い部分１の２つ以上のグループのそれぞれに対する個別の加圧目標を示す制御信号１３５を生成することを意味し得る。電源ユニット１７０は、加圧されるよう適合されたサポート構造１０１の１つまたは複数の部分、例えば、細長い部分１のそれぞれ、傾斜セルのそれぞれ、または細長い部分１および／または傾斜セルのグループのそれぞれ、を加圧するよう適合され、コントローラ１３０は、制御信号１３５に応答して、すなわち、制御信号１３５により示される／定義される個別の加圧目標により、電源ユニット１７０を制御して個別に加圧するよう構成されたサポート構造１０１の部分を加圧するよう構成される。
【手続補正３】
【補正対象書類名】明細書
【補正対象項目名】００３５
【補正方法】変更
【補正の内容】
【００３５】
いくつかの実施の形態において、システム１００は、さらに、電源ユニット（圧力ユニット）１７０により加圧され得るシステム１００の部分に対する個別の加圧目標に関する情報およびパラメータを記憶するよう構成されたデータベース１９０を含んでもよい。データベース１９０は、さらに、以下の選択に関連する情報およびパラメータを記憶するよう構成されてもよい。システム１００に配置された人を識別する固有のユーザデータ、それぞれの識別された人に対する好ましい圧力設定に関する経験に基づくデータ、および、良好な睡眠の質を得るため、人が、動きまたは一連の動きを実施するのを補助するために、褥瘡または同様のリスクを低減するための好ましい圧力設定に関する経験に基づくデータ。
【手続補正４】
【補正対象書類名】明細書
【補正対象項目名】００４３
【補正方法】変更
【補正の内容】
【００４３】
もちろん、本明細書に記載されるシステム１００は本体またはキャリアプレートのいずれかの部分は特定の数に限定されず、任意の適切な数を適用することができる。本体を２つの傾斜部分に分割し、キャリアプレートを少なくとも２つの部分に分割し、キャリアプレートの部分の間の分割が本体の部分の分割と同じ位置に配置されることにより、１つ以上の膨張可能な長手方向傾斜セル１４と組み合わせる場合、例えば、人の頭を持ち上げたり、より腰が立った座位にするためにシステム上に横になった人を補助して折り曲げる動き（folding motion）を十分に行うことができる。制御信号１３５の形式で表され、細長い部分１、膨張可能な側方傾斜セル６Ａ、６Ｂ、および１つまたは複数の膨張可能な長手方向傾斜セル１４の加圧のために電源ユニット（圧力ユニット）１７０を制御するデータプロセッサにより使用される加圧目標は、人が起き上がるのを補助する目的を達成するために加圧することである。この加圧目標は、以前に、同じ人または異なる人に対して使用されてもよい。それにより、プリセット設定がデータベース１９０または機械学習モジュール１８０から取得可能であってもよい。あるいは、１つまたは複数のセンサ１４０が人による動きを登録してもよく、それは、データプロセッサにより位置を切り替えようとしていると解釈されてもよい。それにより、データプロセッサ１３０は、人の継続的な動きを補助するために適切な加圧パターン／フローを計算し、計算に基づいて制御信号を生成する。それにより、コントローラ１３０は、電源ユニット（圧力ユニット）１７０を制御して、細長い部分１と、側方傾斜セル６Ａ、６Ｂと、１つまたは複数の長手方向傾斜セル１４をそれに応じて加圧する。上述の３つの部分、上部、中間部、および下部（図５、図８、および図９参照）により、より細かく調整された動きを達成することができる。
【手続補正５】
【補正対象書類名】特許請求の範囲
【補正対象項目名】全文
【補正方法】変更
【補正の内容】
【特許請求の範囲】
【請求項１】
人を扱うためのサポート構造（１０１）の加圧を制御するシステム（１００）であって、前記システム（１００）は、
ベース表面（１０２）に配置されるよう適合されたサポート構造（１０１）と、
加圧されるように適合された前記サポート構造（１０１）の１つまたは複数の部分を加圧するよう適合された電源ユニット（１７０）と、
前記システム（１００）のサポート構造の加圧された部分における人の動き、および／または、変動、即ち偏りを測定するよう適合された、１つまたは複数のセンサ（１４０）と、
前記１つまたは複数のセンサ（１４０）からのセンサ測定データに少なくとも基づいて、それぞれの弁（１０４）を介して加圧されるよう適合された前記サポート構造（１０１）のそれぞれの部分の個別の加圧を示す制御信号（１３５）を生成するよう構成されたデータプロセッサ（１５０）を含むコントローラ（１３０）と、を備え、
前記サポート構造（１０１）は、
ｉ）人を支えるよう適合された前面（１１２）と、背面（１１４）とを有する本体（１１０）であって、前記本体（１１０）が、可撓性の第１材料で実質的に形成された少なくとも２つの細長い部分（１）の列を含み、それぞれの細長い部分（１）が、その１つまたは複数の長手方向側面（１１６）に沿って、隣接する１つまたは複数の細長い部分（１）に取り付けられ、前記細長い部分（１）が加圧されるよう適合される、本体（１１０）と、
ｉｉ）前面（１２２）と背面（１２４）とを有し、前記第１材料よりも可撓性の低い第２材料により形成されたキャリアプレート（１２０）であって、それぞれの前記細長い部分（１）の背面（１１４）が、少なくとも１つの点（４）でキャリアプレート（１２０）の前面（１２２）に取り付けられ、１つまたは複数の細長い部分（１）の加圧負荷状態において、少なくとも部分的に凹状に湾曲した前面（１２２）を形成するよう適合されたキャリアプレート（１２０）と、を含み、
前記電源ユニット（１７０）において、加圧されるように適合された前記サポート構造（１０１）の前記１つまたは複数の部分のそれぞれは、少なくとも１つの細長い部分（１）を含み、加圧されるように適合された前記サポート構造（１０１）の１つまたは複数の部分が、それぞれの弁（１０４）を介して個別に加圧されるよう構成され、
コントローラ（１３０）が、制御信号（１３５）に応答してそれぞれの弁（１０４）を介して個別に加圧するよう適合された前記サポート構造（１０１）のそれぞれの部分を加圧する電源ユニット（１７０）を制御するよう構成された、
システム（１００）。
【請求項２】
前記それぞれの弁（１０４）を介して加圧されるよう適合されたサポート構造（１０１）の部分は、
前記キャリアプレート（１２０）の背面（１２４）に取り付けられ、前記サポート構造（１０１）の第１長手方向側面に沿って配置された２つ以上の膨張可能な側方傾斜セル（６Ａ）と、
前記キャリアプレート（１２０）の背面（１２４）に取り付けられ、前記サポート構造（１０１）の第２長手方向側面に沿って配置された２つ以上の膨張可能な側方傾斜セル（６Ｂ）と、
をさらに含み、
それぞれの側面の前記２つ以上の膨張可能な側方傾斜セル（６Ａ、６Ｂ）は、加圧負荷状態において、前記本体（１１０）と前記キャリアプレート（１２０）とを傾斜させるよう適合される、
請求項１に記載のシステム（１００）。
【請求項３】
前記コントローラ（１３０）は、制御信号（１３５）に応答して、前記サポート構造（１０１）のそれぞれの側面に沿って配置された２つ以上の膨張可能な側方傾斜セル（６Ａ、６Ｂ）のそれぞれの加圧を個別に制御するよう、さらに構成された、
請求項２に記載のシステム（１００）。
【請求項４】
前記サポート構造（１０１）の前記本体（１１０）は、その長手方向側面に垂直な軸の周りで互いに対して傾斜可能な少なくとも２つの部分を含み、
前記少なくとも２つの部分は、可撓性を有する材料で形成され、前記少なくとも２つの部分が互いに対して傾斜するときにその形状を変化させるよう適合された、１つまたは複数のそれぞれの中間可撓性領域（１０）を介して接続され、
前記サポート構造（１０１）の前記キャリアプレート（１２０）は、前記中間可撓性領域（１０）のそれぞれの側面に配置された少なくとも２つの別個の部分を含む、
請求項１ないし３のいずれか１項に記載のシステム（１００）。
【請求項５】
前記サポート構造（１０１）の前記本体（１１０）は、上部（１１１）、中間部（１１２）、および下部（１１３）を含み、
前記上部（１１１）および前記中間部（１１２）は、互いに対して傾斜可能であり、
前記中間部（１１２）および前記下部（１１３）は、それぞれの長手方向側面に垂直な軸の周りで互いに対して傾斜可能であり、
前記サポート構造（１０１）の前記キャリアプレート（１２０）の前記少なくとも２つの別個の部分は、２つの中間可撓性領域（１０）のそれぞれの側面に配置された上部（１２１）、中間部（１２２）、および下部（１２３）を含む、
請求項４に記載のシステム（１００）。
【請求項６】
前記それぞれの弁（１０４）を介して加圧されるよう適合された前記サポート構造（１０１）の前記部分は、
前記キャリアプレート（１２０）の選択された部分の背面（１２４）、例えば前記上部（１２１）、に取り付けられた、１つまたは複数の膨張可能な長手方向傾斜セル（１４）、
をさらに含み、
前記１つまたは複数の膨張可能な長手方向傾斜セル（１４）は、加圧負荷状態において、前記キャリアプレート（１２０）の前記選択された部分が取り付けられた前記本体（１１０）の一部を、前記本体（１１０）の隣接する１つまたは複数の部分に対して傾斜させるよう適合された、
請求項４または５に記載のシステム（１００）。
【請求項７】
前記第１材料は、ポリマーまたはナイロン系素材である、
請求項１ないし６のいずれか１項に記載のシステム（１００）。
【請求項８】
前記電源ユニット（１７０）は、加圧されるよう適合された前記サポート構造（１０１）の少なくとも１つの追加の部分を加圧するよう、さらに適合され、
前記サポート構造（１０１）の前記少なくとも１つの追加の部分のそれぞれは、前記サポート構造（１０１）の側方傾斜セル（６Ａ、６Ｂ）および／または長手方向傾斜セル（１４）を含み、
前記制御信号（１３５）は、前記サポート構造（１０１）の前記少なくとも１つの追加の部分のそれぞれの個別の加圧を、さらに示し、
前記コントローラ（１３０）は、前記電源ユニット（１７０）を制御して前記サポート構造（１０１）の前記少なくとも１つの追加の部分を個別に加圧するよう、さらに構成された、
請求項１ないし７のいずれか１項に記載のシステム（１００）。
【請求項９】
前記サポート構造（１０１）は、マットレスまたはベッドレスト（１０３）を含む、またはマットレスまたはベッドレスト（１０３）とともに使用されることを意図された、
請求項１ないし８のいずれか１項に記載のシステム（１００）。